(57)【特許請求の範囲】
【請求項１】
ガス流路を内設し、ガス調理器内への固定用のフレームを備えた装置本体と、
前記フレームとの間に設けられたコイルバネによって前記装置本体からの突出位置へ付勢され、前記装置本体内への押し込み操作によって前記ガス流路に設けられたマグネット電磁弁を強制的に開弁させる点火操作軸と、
前記点火操作軸の回転操作によって前記ガス流路の開度を調整可能な閉子と、
消火位置に対応する前記点火操作軸の回転位置の手前の回転位置で、前記点火操作軸の回転操作にクリック作用を生じさせるノッチ機構と、
を含んでなるガス調理器の点火装置であって、
前記ノッチ機構が、前記点火操作軸と一体回転可能且つ前記点火操作軸の軸方向へ前後移動可能なノッチ板と、
前記ノッチ板を前記フレーム側へ押圧する弾性部材と、
前記ノッチ板と前記フレームとの何れか一方へ設けられる係止部と、
前記ノッチ板と前記フレームとの何れか他方へ設けられ、前記手前の回転位置で前記係止部が係止する被係止部と、を含んでなり、
前記ノッチ板は、前記フレームよりも前記点火操作軸の押し込み方向前方側に設けられており、前記点火操作軸は、押し込み操作の際に前記ノッチ板と係合して前記弾性部材の付勢に抗して前記ノッチ板を前記フレームから離間させる係合部を備え、
前記フレームには、前記コイルバネを受けるバネ受けが取り付けられて、前記係合部は、前記バネ受けに当接して前記点火操作軸の突出を規制する係合ピンであることを特徴とするガス調理器の点火装置。
【請求項２】
バーナへの燃料ガスの供給路に、請求項１に記載の点火装置が備えられてなるガス調理器。
【発明の詳細な説明】
【技術分野】
【０００１】
本発明は、バーナを燃焼させて加熱調理するコンロやグリル等のガス調理器に用いられる点火装置と、当該点火装置を備えたガス調理器とに関する。
【背景技術】
【０００２】
ガス調理器の点火装置は、特許文献１に開示されるように、装置本体への押し込み操作によってガス供給路に設けられたマグネット電磁弁を強制的に開弁させる点火操作軸と、バーナ点火後の点火操作軸の回転操作によってガス供給路の開度を調整可能な閉子（コック）と、点火操作軸の操作と連係してＯＮ／ＯＦＦ動作する点火スイッチと、点火スイッチのＯＮ動作によってマグネット電磁弁へ通電させ、点火スイッチのＯＦＦ動作によってマグネット電磁弁への通電を停止させるコントローラとを備えた構成が知られている。
すなわち、点火操作時には点火操作軸に設けた点火ツマミを押し込んでマグネット電磁弁を開弁させ、そのまま点火ツマミを回転させると、点火操作軸と一体の閉子が回転してガス供給路からの燃料ガスをバーナへ供給し、点火操作軸に設けたカムが点火スイッチをＯＮ動作させる。すると、コントローラがイグナイタを動作させてバーナに点火させると共に、マグネット電磁弁に通電させて開弁保持させる。一方、消火操作時には、点火ツマミを消火側へ回転させると、カムが点火スイッチをＯＦＦ動作させる。よって、コントローラがマグネット電磁弁への通電を停止して閉弁させ、ガスの供給を遮断するものとなる。
【先行技術文献】
【特許文献】
【０００３】
【特許文献１】特開２００７−３２７７０５号公報
【発明の概要】
【発明が解決しようとする課題】
【０００４】
このような回転式コックの点火装置において、点火後の火力の調整は、点火ツマミを回転操作し、点火操作軸を介して閉子を回転させてガス供給路の流路面積を変更することで可能となっているが、火力を小さくする際、点火ツマミを消火側へ回し過ぎることで偶発的に消火させてしまうおそれがある。このような火力の絞り過ぎを防止するために、点火ツマミの消火位置の手前の回転位置でクリック作用を生じさせるノッチ機構が設けられるが、このノッチ機構は、点火装置を保持するフレーム側に、ピン等のクリック部材と、クリック部材を付勢する板バネ等の弾性部材とを設け、点火操作軸側に、手前の回転位置でクリック部材が弾性係止するノッチ板を設ける等して構成する必要があり、部品点数が多くなってコストアップに繋がる。
【０００５】
そこで、本発明は、火力の絞り過ぎを未然に防ぐノッチ機構を、部品点数の少ない低コストな構成で具備することができるガス調理器の点火装置と、当該点火装置を備えたガス調理器とを提供することを目的としたものである。
【課題を解決するための手段】
【０００６】
上記目的を達成するために、請求項１に記載の発明は、ガス流路を内設し、ガス調理器内への固定用のフレームを備えた装置本体と、フレームとの間に設けられたコイルバネによって装置本体からの突出位置へ付勢され、装置本体内への押し込み操作によってガス流路に設けられたマグネット電磁弁を強制的に開弁させる点火操作軸と、点火操作軸の回転操作によってガス流路の開度を調整可能な閉子と、消火位置に対応する点火操作軸の回転位置の手前の回転位置で、点火操作軸の回転操作にクリック作用を生じさせるノッチ機構と、を含んでなるガス調理器の点火装置であって、
ノッチ機構が、点火操作軸と一体回転可能且つ点火操作軸の軸方向へ前後移動可能なノッチ板と、ノッチ板をフレーム側へ押圧する弾性部材と、ノッチ板とフレームとの何れか一方へ設けられる係止部と、ノッチ板とフレームとの何れか他方へ設けられ、手前の回転位置で係止部が係止する被係止部と、を含んでなり、
ノッチ板は、フレームよりも点火操作軸の押し込み方向前方側に設けられており、点火操作軸は、押し込み操作の際にノッチ板と係合して弾性部材の付勢に抗してノッチ板をフレームから離間させる係合部を備え、
フレームには、コイルバネを受けるバネ受けが取り付けられて、係合部は、バネ受けに当接して点火操作軸の突出を規制する係合ピンであることを特徴とする。
上記目的を達成するために、請求項２に記載の発明は、ガス調理器であって、バーナへの燃料ガスの供給路に、請求項１に記載の点火装置が備えられてなることを特徴とする。
【発明の効果】
【０００７】
請求項１及び２に記載の発明によれば、火力の絞り過ぎを未然に防ぐノッチ機構を、係止部又は被係止部を設けたノッチ板と、弾性部材と、フレームに設けた被係止部又は係止部とで形成することができる。つまり、ノッチ機構に係る部材としてはノッチ板と弾性部材との２部材となるため、部品点数の少ない低コストな構成でノッチ機構を具備可能となる。
また、点火時の押し回し操作にノッチ板が干渉することがなく、余計なクリック作用が生じることがない。
【図面の簡単な説明】
【０００８】
【図１】テーブルコンロの説明図である。
【図２】消火位置の点火装置の説明図で、（Ａ）が側面、（Ｂ）が正面をそれぞれ示す。
【図３】消火位置の点火装置の縦断面図である。
【図４】消火位置から点火ツマミを押し込んだ状態の説明図で、（Ａ）が一部断面、（Ｂ）が正面をそれぞれ示す。
【図５】点火ツマミを点火位置へ回転させた状態の説明図で、（Ａ）が一部断面、（Ｂ）が正面をそれぞれ示す。
【図６】点火位置で点火ツマミの押し込みを解除した状態の説明図で、（Ａ）が一部断面、（Ｂ）が正面をそれぞれ示す。
【図７】点火ツマミを弱火位置へ回転させた状態の説明図で、（Ａ）が一部断面、（Ｂ）が正面をそれぞれ示す。
【発明を実施するための形態】
【０００９】
以下、本発明の実施の形態を図面に基づいて説明する。
図１は、ガス調理器としてのテーブルコンロの一例を示す説明図である。このテーブルコンロ１は、前面パネル３を備える器体２に、コンロバーナを有する図示しないコンロ部を有し、ガスバーナへのガス供給路の上流側に、器体２内で前面パネル３の後方に設置される点火装置４と、点火装置４の操作によってコンロバーナを制御するコントローラ５とを備えてなる。コントローラ５は、図示しない乾電池から電源を得て作動するもので、このコントローラ５には、点火装置４に設けられた後述するマグネット電磁弁１２、点火スイッチ３４、イグナイタスイッチ３７がそれぞれ電気的に接続されると共に、点火放電用のイグナイタ６や、炎検出用の熱電対及び過熱検出用のサーミスタ（何れも図示略）等も電気的に接続されている。
【００１０】
この点火装置４は、図２，３にも示すように、器体２内でフレーム７を介して前端（図１の右側を前方とする。）が固定される筒状の装置本体８を有し、装置本体８には、上流側に図示しないガス管が接続されて燃料ガスが供給されるガス入口９と、下流側に設けられてコンロバーナ側へのガス流路が接続されるガス出口１０とが形成されて、装置本体８内に、ガス入口９とガス出口１０とが連通するガス流路１１を形成している。また、装置本体８の後端には、ガス入口９際でガス流路１１を開閉する弁体１３を備えたマグネット電磁弁１２が配置されている。
【００１１】
さらに、ガス流路１１内には、ガス出口１０際でガス流路１１の開度を調整するテーパ筒状の閉子１４と、その閉子１４に係合して一体回転させるスピンドル１５とが設けられている。装置本体８内の前部でフレーム７には、筒状のホルダ１６が、スピンドル１５と同軸で固定されて、ホルダ１６内に、横断面が二面幅となる点火操作軸１７が、軸方向へ前後移動可能且つ回転可能に保持されて、ホルダ１６を貫通させた後端をスピンドル１５と同軸で連結している。この点火操作軸１７は、閉子１４の前部に形成した嵌合孔１８内に設けられたコイルバネ１９によってスピンドル１５と共に前進位置に付勢されており、この前進位置では、マグネット電磁弁１２は突出付勢される弁体１３によってガス流路１１を閉弁する。点火操作軸１７が後方へ押し込まれると、後退したスピンドル１５がマグネット電磁弁１２の弁体１３を押し込んで強制的に開弁させる。点火操作軸１７の後端は、後退位置で嵌合孔１８に嵌合し、回転方向で閉子１４と一体化される。
【００１２】
フレーム７の前方で点火操作軸１７には、図２（Ｂ）に示すように、消火位置の正面視で点火操作軸１７の右下側に扇状のカム部２１を直交状に突設し、点火操作軸１７の左側に板状のアーム２２を直交状に突設してなる連動板２０が、後側で点火操作軸１７へ直交状に設けた止めピン２３と、前側に設けたＥリング２４とによって一体回転可能に取り付けられている。アーム２２の先端上側には、斜め後向きに押圧片２５が突設されている。
また、連動板２０の後面に突設された前側バネ受け部２６と、フレーム７の前面に取り付けられた後側バネ受け２７との間で点火操作軸１７には、コイルバネ２８が外装されて、点火操作軸１７を前方へ付勢している。但し、点火操作軸１７において、後側バネ受け２７の後方には、係合部としての係合ピン２９が設けられており、点火操作軸１７は、係合ピン２９が後側バネ受け２７に当接する位置で前進が規制される。この前進位置は、スピンドル１５の前進位置に対応している。コイルバネ２８の前端は、アーム２２に係止され、後端はフレーム７の前面に係止されて、点火操作軸１７を図２（Ｂ）で右回転方向へ回転付勢している。
【００１３】
さらに、ホルダ１６内で点火操作軸１７には、ノッチ板３０が一体回転可能且つ軸方向へ前後移動可能に外装され、このノッチ板３０が、弾性部材としてのコイルバネ３１によりフレーム７に当接する前進位置に付勢されて、ノッチ機構を構成している。ノッチ板３０の前面で外周寄りの偏心位置には、係止部として、前端外周に丸みを帯びた円形状の係止突起３２が前向きに突設されており、フレーム７における点火操作軸１７の貫通孔７ａの内縁には、ノッチ板３０の所定の回転位置で係止突起３２が係止する被係止部としての切欠き３３が形成されている。この所定の回転位置は、後述する点火操作軸１７の消火位置の手前の回転位置（弱火位置）である。但し、点火操作軸１７が後方へ押し込まれると、一体に後退した係合ピン２９がノッチ板３０と係止して、ノッチ板３０をコイルバネ３１の付勢に抗してフレーム７の後方へ離間させるようになっている。
【００１４】
３４は、点火用のマイクロスイッチ（以下「点火スイッチ」という。）で、この点火スイッチ３４は、フレーム７の正面視左上側で、作動片３５を前後方向にして、山形の接触部３６が、消火位置での連動板２０のアーム２２の押圧片２５と干渉して作動片３５が押し込まれるように斜め縦向きに取り付けられている。また、３７は、イグナイタ作動用のマイクロスイッチ（以下「イグナイタスイッチ」という。）で、このイグナイタスイッチ３７は、フレーム７の正面視右下側で、作動片３８を前側にして山形の接触部３９が、消火位置での連動板２０のカム部２１の後方上側に位置するように縦向きに取り付けられている。
【００１５】
以上の如く構成されたテーブルコンロ１における点火装置４の点消火動作を、図４〜７の点火操作軸１７の前後位置及び連動板２０の回転位置を示す説明図に基づいて詳述する。
まず、点火操作軸１７の消火位置では、点火操作軸１７は図２，３に示す前進位置にあって、連動板２０のカム部２１は、イグナイタスイッチ３７の接触部３９の前方下側に位置し、アーム２２の押圧片２５が点火スイッチ３４の作動片３５の接触部３６に当接して作動片３５を押し込んでいる（このときの点火スイッチ３４はＯＦＦである）。また、ノッチ板３０は、コイルバネ３１によりフレーム７に押圧されているが、ここでは係止突起３２が切欠き３３と一致する位相ではないので、係止突起３２はフレーム７の後面に当接している。
【００１６】
ここから点火操作軸１７の前端に設けた点火ツマミ４０を押し込むと、図４に示すように、点火操作軸１７が後退してスピンドル１５を介してマグネット電磁弁１２を強制的に開弁させると共に、同時に後退した連動板２０のアーム２２の押圧片２５が点火スイッチ３４の接触部３６から後方へ離れて作動片３５を突出位置へ復帰させ、点火スイッチ３４をＯＮさせる。よって、コントローラ５がマグネット電磁弁１２へ通電させて開弁保持させ、ガス流路１１からコンロバーナへ燃料ガスを供給させる。このとき連動板２０のカム部２１は、イグナイタスイッチ３７の作動片３８へ接近するにとどまり、作動片３８を押し込むには至らない。ノッチ板３０は、点火操作軸１７と共に後退した係合ピン２９によってコイルバネ３１の付勢に抗して後方へ押し込まれ、フレーム７から離間する。
【００１７】
次に、点火ツマミ４０を押し込んだまま左回転させると、図５に示すように、連動板２０が点火操作軸１７と一体に左回転し、連動板２０が略９０°左回転した位置で、カム部２１がイグナイタスイッチ３７の接触部３９に当接して作動片３８を押し込む。よって、イグナイタスイッチ３７がＯＮしてこのＯＮ信号を得たコントローラ５がイグナイタ６を所定時間作動させてコンロバーナを点火させる。点火スイッチ３４のＯＮ状態は変わらないためマグネット電磁弁１２への通電は維持されている。このときノッチ板３０は、点火操作軸１７と共に回転するが、係合ピン２９による後方への押し込み位置は変わらないため、係止突起３２がフレーム７と干渉することはない。
【００１８】
ここで点火ツマミ４０の押し込みを解除すると、図６に示すように、コイルバネ２８の付勢によって点火操作軸１７が前進位置へ復帰する。同時に連動板２０も前進してイグナイタスイッチ３７の作動片３８から離れるため、イグナイタスイッチ３７はＯＦＦとなってイグナイタ６の作動は停止する。コントローラ５が熱電対から得られる起電力によってコンロバーナの点火を確認すると、そのままマグネット電磁弁１２への通電が維持されるため、点火ツマミ４０の押し込みを解除しても燃焼は継続する。このときスピンドル１５を介して点火操作軸１７と共に回転した閉子１４により、ガス流路１１は全開となるので、コンロバーナは強火で燃焼する。ノッチ板３０は、係合ピン２９の前進に伴いコイルバネ３１の付勢によって前進するが、ここでも係止突起３２が切欠き３３と一致する位相でないため、係止突起３２がフレーム７の後面に当接する位置で前進が規制される。
【００１９】
この強火位置から火力を絞る場合、点火ツマミ４０を消火位置側へ右回転させると、閉子１４が絞られてガス流路１１の開度が小さくなってコンロバーナの火力が絞られる。そして、消火位置の手前の弱火位置では、図７に示すように、点火操作軸１７と共に回転したノッチ板３０が、係止突起３２が切欠き３３に一致する位相に達すると、コイルバネ３１の付勢により前進して係止突起３２を切欠き３３に係止させる。よって、ここでクリック作用が生じ、ユーザは当該位置で点火ツマミ４０の回転操作を止めることができ、火力の絞り過ぎによる消火を防止可能となる。
なお、コンロバーナが失火すると、コンロバーナの燃焼を熱電対の起電力で監視していたコントローラ５がこれを検知してマグネット電磁弁１２への通電を停止するため、マグネット電磁弁１２が閉弁してガス流路１１が閉塞される。
【００２０】
そして、コンロバーナを消火する際、点火ツマミ４０を消火位置まで右回転させると、点火操作軸１７を介して回転した閉子１４がガス流路１１を閉塞すると共に、点火操作軸１７と共に回転した連動板２０が、アーム２２の押圧片２５を点火スイッチ３４の接触部３６に当接させて作動片３５を押し込む。よって、点火スイッチ３４がＯＦＦしてこれを検知したコントローラ５がマグネット電磁弁１２への通電を停止させてガス流路１１を閉弁させ、コンロバーナを消火させる。なお、点火操作軸１７の消火位置への回転に伴い、ノッチ板３０も、前端外周に丸みを帯びた係止突起３２を切欠き３３から大きな抵抗なく離脱させて、コイルバネ３１の付勢に抗し後退して回転し、図２，３の回転位置へ復帰する。
【００２１】
このように、上記形態の点火装置４及びテーブルコンロ１によれば、ノッチ機構を、点火操作軸１７と一体回転可能且つ点火操作軸１７の軸方向へ前後移動可能なノッチ板３０と、ノッチ板３０をフレーム７側へ押圧する弾性部材（コイルバネ３１）と、ノッチ板３０へ設けられる係止突起３２と、フレーム７へ設けられ、消火位置の手前の回転位置で係止突起３２が係止する切欠き３３と、を含んでなる構成としたことで、火力の絞り過ぎを未然に防ぐノッチ機構を、係止突起３２を設けたノッチ板３０と、コイルバネ３１と、フレーム７に直接設けた切欠き３３とで形成することができる。つまり、ノッチ機構に係る部材としてはノッチ板３０とコイルバネ３１との２部材となるため、部品点数の少ない低コストな構成でノッチ機構を具備可能となる。
【００２２】
特にここでは、点火操作軸１７に、押し込み操作の際にノッチ板３０と係合してコイルバネ３１の付勢に抗してノッチ板３０をフレーム７から離間させる係合ピン２９を設けたことで、点火時の押し回し操作にノッチ板３０が干渉することがなく、余計なクリック作用が生じることがない。
【００２３】
なお、係止部としての係止突起は、円形状に限らず、周方向の両面が傾斜面となる三角形や台形の突起としたりすることもできる。被係止部も切欠きでなく凹部や透孔とする等、係止部の形状に合わせて適宜変更可能である。
また、上記形態ではノッチ板に係止部を、フレームに被係止部をそれぞれ設けているが、これを逆にして、フレームに係止突起等の係止部を、ノッチ板に切欠き等の被係止部をそれぞれ設けても差し支えない。
さらに、弾性部材もコイルバネに限らず、皿バネや板バネ等も採用可能であるし、係合部も別体のピンでなく、点火操作軸に切り起こし等で一体形成することもできる。
【００２４】
一方、点火スイッチやイグナイタスイッチの位置や形状、連動板の形状、装置本体のガス流路の構造等も上記形態に限定するものではなく、適宜設計変更可能である。
そして、本発明の点火装置は、テーブルコンロに限らず、ビルトインコンロやグリル等の他のガス調理器にも採用可能である。
【符号の説明】
【００２５】
１・・テーブルコンロ、２・・器体、４・・点火装置、５・・コントローラ、７・・フレーム、７ａ・・貫通孔、８・・装置本体、９・・ガス入口、１０・・ガス出口、１１・・ガス流路、１２・・マグネット電磁弁、１４・・閉子、１５・・スピンドル、１７・・点火操作軸、１９，２８，３１・・コイルバネ、２０・・連動板、２１・・カム部、２２・・アーム、２９・・係合ピン、３０・・ノッチ板、３２・・係止突起、３３・・切欠き、３４・・点火スイッチ、３７・・イグナイタスイッチ、４０・・点火ツマミ。
【図１】
0006681208.tif 000002
【図２】
0006681208.tif 000003
【図３】
0006681208.tif 000004
【図４】
0006681208.tif 000005
【図５】
0006681208.tif 000006
【図６】
0006681208.tif 000007
【図７】
0006681208.tif 000008